(57)【要約】【課題】イベント情報や個人予定情報を受信して、受信した情報を電子番組表と紐付けて表示させることで、番組の放送予定と個人予定やイベント情報とを一度に閲覧することが可能な受信装置を提供すること。【解決手段】受信する放送波に関する電子番組表情報を取得する電子番組表取得部と、ネットワークを介してイベント情報およびユーザが作成した個人予定情報を含む予定情報を取得する予定情報取得部と、電子番組表取得部で取得した電子番組表情報と、予定情報取得部で取得した予定情報とを、時間軸を一致させて同一の画面で表示させる情報表示制御部と、を含む、受信装置が提供される。【選択図】図２
2009239735.tif 000002
【特許請求の範囲】
【請求項１】
受信する放送波に関する電子番組表情報を取得する電子番組表取得部と、
ネットワークを介してイベント情報およびユーザが作成した個人予定情報を含む予定情報を取得する予定情報取得部と、
前記電子番組表取得部で取得した前記電子番組表情報と、前記予定情報取得部で取得した前記予定情報とを、時間軸を一致させて同一の画面で表示させる情報表示制御部と、
を含む、受信装置。
【請求項２】
前記情報表示制御部は、前記電子番組表情報や前記予定情報を用いて所定のタイミングで通知情報を表示させる、請求項１に記載の受信装置。
【請求項３】
前記情報表示制御部は、前記電子番組表情報や前記予定情報に予め指定されたキーワードが含まれている場合に、該キーワードが含まれている情報を前記通知情報として表示させる、請求項２に記載の受信装置。
【請求項４】
前記イベント情報または前記個人予定情報に含まれているキーワードを含む情報を前記電子番組表情報から抽出する情報抽出部をさらに含む、請求項１に記載の受信装置。
【請求項５】
前記イベント情報または前記個人予定情報に含まれているキーワードに基づいて番組の視聴を推薦する視聴推薦部をさらに含む、請求項１に記載の受信装置。
【請求項６】
前記イベント情報または前記個人予定情報に含まれているキーワードに基づいて番組の録画を予約する録画予約部をさらに含む、請求項１に記載の受信装置。
【請求項７】
前記個人予定情報で指定されている時間帯の番組の録画を予約する録画予約部をさらに含む、請求項１に記載の受信装置。
【請求項８】
番組の録画を予約する録画予約部と、
前記録画予約部で録画が予約された番組の情報を前記個人予定情報へ反映させる個人予定情報反映部と、
をさらに含む、請求項１に記載の受信装置。
【請求項９】
受信する放送波に関する電子番組表情報を取得する電子番組表取得ステップと、
ネットワークを介してイベント情報およびユーザが作成した個人予定情報を含む予定情報を取得する予定情報取得ステップと、
前記電子番組表取得ステップで取得した前記電子番組表情報と、前記予定情報取得ステップで取得した前記予定情報とを、時間軸を一致させて同一の画面で表示させる情報表示制御ステップと、
を含む、情報表示方法。
【請求項１０】
コンピュータに、
受信する放送波に関する電子番組表情報を取得する電子番組表取得ステップと、
ネットワークを介してイベント情報およびユーザが作成した個人予定情報を含む予定情報を取得する予定情報取得ステップと、
前記電子番組表取得ステップで取得した前記電子番組表情報と、前記予定情報取得ステップで取得した前記予定情報とを、時間軸を一致させて同一の画面で表示させる情報表示制御ステップと、
を実行させる、コンピュータプログラム。
【発明の詳細な説明】
【技術分野】
【０００１】
本発明は、受信装置、情報表示方法およびコンピュータプログラムに関し、より詳細には、電子番組表と予定情報とを受信して表示する受信装置、情報表示方法およびコンピュータプログラムに関する。
【背景技術】
【０００２】
アナログ放送、地上デジタル放送、ＢＳデジタル放送等のテレビ放送の放送波には、番組表をテレビ画面上で新聞等のテレビ欄のように表示できる電子番組表（Ｅｌｅｃｔｒｏｎｉｃ  Ｐｒｏｇｒａｍ  Ｇｕｉｄｅ；ＥＰＧ）の情報が含まれている。ユーザは、デジタル放送を受信可能なテレビのような受信装置に電子番組表を表示させることで、視聴したい番組や録画を予約したい番組を容易に探し出すことができる。
【０００３】
そのような受信装置において、個人の予定を入力して、電子番組表に個人の予定を併せて表示させる技術が、例えば特許文献１に開示されている。特許文献１では、テレビ受像機に対して個人予定を手動で入力し、個人予定として入力した予定日の番組の録画を予約する方法が開示されている。
【０００４】
【特許文献１】特開２００２−１６８４４号公報
【発明の開示】
【発明が解決しようとする課題】
【０００５】
しかし、特許文献１に記載された技術は、テレビ受像機に対して個人予定を手動で入力する手間が発生するという問題があった。また、テレビ受像機に対して個人予定を入力するので、個人予定もテレビ受像機で管理されることになる。従って、ユーザが別途パソコン、携帯電話、ＰＤＡ（Ｐｅｒｓｏｎａｌ  Ｄｉｇｉｔａｌ  Ａｓｓｉｓｔａｎｔ）等でも個人予定を管理している場合には、パソコンやＰＤＡ等で個人予定を変更しても、テレビ受像機には反映されない問題があった。
【０００６】
一方、近年になってオンラインで公開されるスケジュールサービスの提供が広まっている。このようなスケジュールサービスは、天気予報、ＣＤ・ＤＶＤの新譜発売情報、映画公開情報等のイベント情報が公開されており、サービスの提供を受けるユーザは、パソコンや携帯電話等でイベント情報を確認することができる。しかし、そのようなイベント情報は電子番組表との連携が考慮されているものではなく、テレビ受像機では表示させることができなかった。
【０００７】
そこで、本発明は、上記問題に鑑みてなされたものであり、本発明の目的とするところは、イベント情報や個人予定情報を受信して、受信した情報を電子番組表と紐付けて表示させることで、番組の放送予定と個人予定やイベント情報とを一度に閲覧することが可能な、新規かつ改良された受信装置、情報表示方法およびコンピュータプログラムを提供することにある。
【課題を解決するための手段】
【０００８】
上記課題を解決するために、本発明のある観点によれば、受信する放送波に関する電子番組表情報を取得する電子番組表取得部と、ネットワークを介してイベント情報およびユーザが作成した個人予定情報を含む予定情報を取得する予定情報取得部と、電子番組表取得部で取得した電子番組表情報と、予定情報取得部で取得した予定情報とを、時間軸を一致させて同一の画面で表示させる情報表示制御部と、を含む、受信装置が提供される。
【０００９】
かかる構成によれば、電子番組表取得部は受信する放送波に関する電子番組表情報を取得し、予定情報取得部はネットワークを介してイベント情報およびユーザが作成した個人予定情報を含む予定情報を取得する。そして、情報表示制御部は電子番組表取得部で取得した電子番組表情報と、予定情報取得部で取得した予定情報とを、時間軸を一致させて同一の画面で表示させる。その結果、イベント情報や個人予定情報を受信して、受信した情報を、別途取得した電子番組表と時間軸を一致させることによって紐付けて表示させることで、番組の放送予定と個人予定やイベント情報とを一度に閲覧することができる。
【００１０】
情報表示制御部は、電子番組表情報や予定情報を用いて所定のタイミングで通知情報を表示させてもよい。
【００１１】
情報表示制御部は、電子番組表情報や予定情報に予め指定されたキーワードが含まれている場合に、該キーワードが含まれている情報を通知情報として表示させてもよい。
【００１２】
上記受信装置は、イベント情報または個人予定情報に含まれているキーワードを含む情報を電子番組表情報から抽出する情報抽出部をさらに含んでいてもよい。
【００１３】
上記受信装置は、イベント情報または個人予定情報に含まれているキーワードに基づいて番組の視聴を推薦する視聴推薦部をさらに含んでいてもよい。
【００１４】
上記受信装置は、イベント情報または個人予定情報に含まれているキーワードに基づいて番組の録画を予約する録画予約部をさらに含んでいてもよい。
【００１５】
上記受信装置は、個人予定情報で指定されている時間帯の番組の録画を予約する録画予約部をさらに含んでいてもよい。
【００１６】
上記受信装置は、番組の録画を予約する録画予約部と、録画予約部で録画が予約された番組の情報を個人予定情報へ反映させる個人予定情報反映部と、をさらに含んでいてもよい。
【００１７】
また、上記課題を解決するために、本発明の別の観点によれば、受信する放送波に関する電子番組表情報を取得する電子番組表取得ステップと、ネットワークを介してイベント情報およびユーザが作成した個人予定情報を含む予定情報を取得する予定情報取得ステップと、電子番組表取得ステップで取得した電子番組表情報と、予定情報取得ステップで取得した予定情報とを、時間軸を一致させて同一の画面で表示させる情報表示制御ステップと、を含む、情報表示方法が提供される。
【００１８】
また、上記課題を解決するために、本発明の別の観点によれば、コンピュータに、受信する放送波に関する電子番組表情報を取得する電子番組表取得ステップと、ネットワークを介してイベント情報およびユーザが作成した個人予定情報を含む予定情報を取得する予定情報取得ステップと、電子番組表取得ステップで取得した電子番組表情報と、予定情報取得ステップで取得した予定情報とを、時間軸を一致させて同一の画面で表示させる情報表示制御ステップと、を実行させる、コンピュータプログラムが提供される。
【発明の効果】
【００１９】
以上説明したように本発明によれば、イベント情報や個人予定情報を受信して、受信した情報を、別途取得した電子番組表と、時間軸を一致させることによって紐付けて表示させることで、番組の放送予定と個人予定やイベント情報とを一度に閲覧することが可能な、新規かつ改良された受信装置、情報表示方法およびコンピュータプログラムを提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、本発明の一実施形態にかかるに受信装置と、受信装置が含まれる受信システムの構成について説明する。
【００２２】
図１は、本発明の一実施形態にかかる受信システム１０の構成について説明する説明図である。以下、図１を用いて本発明の一実施形態にかかる受信システム１０の構成について説明する。
【００２３】
図１に示したように、本発明の一実施形態にかかる受信システム１０は、テレビ受像機１００と、パーソナルコンピュータ１４と、スケジュール配信サーバ１５と、を含んで構成される。
【００２４】
テレビ受像機１００は、本発明の受信装置の一例であり、放送局１１から送信され、アンテナ１２またはパラボラアンテナ１３で受信した放送波に基づいて映像を表示するものである。また、テレビ受像機１００は、放送波によって放送局１１から送信される電子番組表情報を受信して、新聞のテレビ欄のような電子番組表を表示する機能を有する。
【００２５】
パーソナルコンピュータ１４は、個人の予定を管理する個人予定情報を生成する装置であり、例えば、パーソナルコンピュータ１４のユーザが個人予定情報を生成するためのコンピュータプログラムを使用することによって、個人予定情報が生成される。パーソナルコンピュータ１４で生成された個人予定情報は、ルータ１７を介してテレビ受像機１００で受信可能な状態に、パーソナルコンピュータ１４の内部や、外部のサーバ（例えばスケジュール配信サーバ１５）に格納される。
【００２６】
スケジュール配信サーバ１５は、天気予報、ＣＤ・ＤＶＤの新譜発売情報、映画公開情報等のイベント情報のスケジュールを配信するサービスを提供する事業者が管理するサーバである。スケジュール配信サーバ１５は、このようなイベント情報の提供を希望するユーザの端末に対して、スケジュール配信サーバ１５で管理されているイベント情報を、ネットワーク１６を介して配信する。
【００２７】
なお、スケジュール配信サーバ１５が管理して配信するイベント情報には、天気予報、ＣＤ・ＤＶＤの新譜発売情報、映画公開情報以外にも、例えばプロ野球やサッカー等の各種スポーツの試合予定情報、コンサートやスポーツの試合等のチケット発売情報等を含んでいてもよい。
【００２８】
そして、本実施形態においては、スケジュール配信サーバ１５から配信されるイベント情報は、ネットワーク１６やルータ１７を介して、テレビ受像機１００で受信することができる。イベント情報や個人予定情報を受信したテレビ受像機１００は、イベント情報や個人予定情報を電子番組表と組み合わせて表示する機能を有する。
【００２９】
以上、本発明の一実施形態にかかる受信システム１０の構成について説明した。次に、本発明の一実施形態にかかるテレビ受像機１００のハードウェア構成について説明する。
【００３０】
図２は、本発明の一実施形態にかかるテレビ受像機１００のハードウェア構成について説明する説明図である。以下、図２を用いて本発明の一実施形態にかかるテレビ受像機１００のハードウェア構成について説明する。
【００３１】
図２に示したように、本発明の一実施形態にかかるテレビ受像機１００は、デジタルチューナ１０１と、デスクランブル部１０２と、デマルチプレクサ１０３と、デコード部１０４と、ＯＳＤ（Ｏｎ  Ｓｃｒｅｅｎ  Ｄｉｓｐｌａｙ）処理部１０５と、映像信号処理回路１０６と、音声信号処理回路１０７と、表示部１０８と、音声出力部１０９と、制御部１１０と、ＲＯＭ１１１と、ＲＡＭ１１２と、ＥＥＰＲＯＭ１１３と、時計回路１１４と、ＨＤＤＩ／Ｆ１１５と、ＨＤＤ１１６と、キーＩ／Ｆ１１７と、キー入力部１１８と、リモートコントローラＩ／Ｆ１１９と、リモートコントローラ信号受光部１２０と、ネットワークＩ／Ｆ１２１と、外部Ｉ／Ｆ１２２と、を含んで構成される。
【００３２】
デジタルチューナ１０１は、アンテナ１２またはパラボラアンテナ１３で受信した放送波を復調するものである。デジタルチューナ１０１における復調は、制御部１１０からの選局制御信号に基づいて、受信した放送波から復調する放送信号を選局する。デジタルチューナ１０１で復調された放送信号はデスクランブル部１０２に供給される。
【００３３】
デスクランブル部１０２は、デジタルチューナ１０１で復調された放送信号に対して、放送信号に暗号化処理（スクランブル処理）が施されていれば、制御部１１０からの暗号解読信号に基づいて、暗号化を解除する処理（デスクランブル処理）を実行するものである。デスクランブル部１０２でデスクランブル処理が施された放送信号は、デマルチプレクサ１０３に供給される。
【００３４】
デマルチプレクサ１０３は、デスクランブル部１０２から供給された放送信号を、映像信号と音声信号とに分離するものである。また、デマルチプレクサ１０３は、デスクランブル部１０２から供給された放送信号から、電子番組表を生成するためのデータ（以下「電子番組表情報」とも称する）を抽出する。デマルチプレクサ１０３で分離された映像信号および音声信号はデコード部１０４に供給される。また、デマルチプレクサ１０３で抽出された電子番組表情報は、制御部１１０に供給される。
【００３５】
なお、デマルチプレクサ１０３で分離されて出力される映像信号や音声信号は、例えばＭＰＥＧ（Ｍｏｖｉｎｇ  Ｐｉｃｔｕｒｅ  Ｅｘｐｅｒｔｓ  Ｇｒｏｕｐ）等の所定の符号化方式によって符号化されたデータである。
【００３６】
デコード部１０４は、デマルチプレクサ１０３で分離された映像信号および音声信号を、所定の符号化方式に基づいて復号して出力するものである。デコード部１０４は、図１には図示していないが、映像信号をデコードする映像信号デコード部と、音声信号をデコードする音声信号デコード部とを含んで構成される。デコード部１０４でデコードした映像信号はＯＳＤ処理部１０５を経由して映像信号処理回路１０６に供給され、音声信号は音声信号処理回路１０７に供給される。
【００３７】
ＯＳＤ処理部１０５は、制御部１１０から供給されるデータに応じて、電子番組表や番組に関する情報及びパーソナルコンピュータ１４やスケジュール配信サーバ１５から取得した予定情報を表示部１０８に表示するための映像信号処理を実行するものである。ＯＳＤ処理部１０５では、デコード部１０４でデコードされた映像信号に対してこれらの情報を重畳するように映像信号処理を施して、または映像信号の替わりに表示するように映像信号処理を施して、処理が施された信号を映像信号処理回路１０６に供給する。
【００３８】
映像信号処理回路１０６は、ＯＳＤ処理部１０５から供給された映像信号に対して、表示部１０８で映像として表示するための信号処理を実行するものである。一方、音声信号処理回路１０７は、デコード部１０４から供給された音声信号に対して、音声出力部１０９から音声として出力するための信号処理（例えば、増幅処理等）を実行するものである。
【００３９】
表示部１０８は、映像信号処理回路１０６で信号処理が施された映像信号に基づいて映像を表示するものである。表示部１０８としては、例えば液晶ディスプレイ、有機ＥＬディスプレイ、プラズマディスプレイ、ＣＲＴディスプレイ等であってもよい。音声出力部１０９は、音声信号処理回路１０７で信号処理が施された音声信号に基づいて音声を出力するものである。音声出力部１０９を構成するスピーカの数は、１つであってもよく、２つ以上であってもよい。
【００４０】
制御部１１０は、テレビ受像機１００の各部を制御するものである。制御部１１０には、図示しないが、ＣＰＵ（Ｃｅｎｔｒａｌ  Ｐｒｏｃｅｓｓｉｎｇ  Ｕｎｉｔ；中央演算装置）が含まれる。制御部１１０と、テレビ受像機１００の各部とは、内部バス１２３で相互に接続されている。例えば、テレビ受像機１００の電源のオン・オフ、音量の増減、チャンネルの選局等の制御を、ユーザからの指示によって実行する。また、制御部１１０はデマルチプレクサ１０３で分離された電子番組表情報や、ネットワークＩ／Ｆ１２１から供給された予定情報に基づいて、時間軸を一致させて同一の画面で表示させるように情報を生成する。
【００４１】
ＲＯＭ１１１は、制御部１１０が数値計算や情報処理、機器制御等を行う際に使用するプログラムや演算用のパラメータのうち、基本的に変更されず固定のデータを格納するものである。また、ＲＡＭ１１２は、制御部１１０が数値計算や情報処理、機器制御等を行う際に使用するプログラムや演算用のパラメータのうち、基本的に各種処理の際に適宜変化するデータを格納するものである。
【００４２】
ＥＥＰＲＯＭ１１３は、テレビ受像機１００のユーザによって設定されたパラメータ等を格納する、書き換え可能なメモリであり、テレビ受像機１００の電源が落とされても情報が消去されないようにされた不揮発性のメモリである。例えば、ＥＥＰＲＯＭ１１３には、パーソナルコンピュータ１４から個人予定情報を取得するためにパーソナルコンピュータ１４のＩＰアドレスの情報が格納されていてもよく、スケジュール配信サーバ１５からイベント情報を取得するために、スケジュール配信サーバ１５のＵＲＩ（Ｕｎｉｆｏｒｍ  Ｒｅｓｏｕｒｃｅ  Ｉｄｅｎｔｉｆｉｅｒ）の情報が格納されていてもよい。パーソナルコンピュータ１４のＩＰアドレスの情報やスケジュール配信サーバ１５のＵＲＩの情報等は、例えばテレビ受像機１００を操作して設定画面を表示部１０８に表示させて、ユーザのキー入力部１１８の操作によって設定画面を通じて設定してもよい。
【００４３】
時計回路１１４は、現在時刻を提供するものであり、現在時刻の情報を表示部１０８に表示する際には、制御部１１０は時計回路１１４から現在時刻の情報を取得して、ＯＳＤ処理部１０５に供給する。
【００４４】
ＨＤＤ１１６は、内部にハードディスクを設け、設けられたハードディスクを駆動し、制御部１１０によって読み出されて実行されるプログラムや情報（例えば音声ファイルや動画ファイルなど）を記録・再生するものである。ＨＤＤ１１６は、ＨＤＤＩ／Ｆ１１５を介して制御部１１０との間でデータの読み書きが行われる。
【００４５】
キー入力部１１８は、テレビ受像機１００の主電源のオン・オフ、音量の増減、放送やチャンネルの選択等を行うキーが配置されている。ユーザがキー入力部１１８を操作すると、その内容がキーＩ／Ｆ１１７を通じて制御部１１０に送られて、操作内容に応じた処理が制御部１１０で実行される。
【００４６】
リモートコントローラ信号受光部１２０は、リモートコントローラ１３０から送信された信号を受け取るものである。ユーザがリモートコントローラ１３０を操作して、電源のオン・オフや音量の増減、放送やチャンネルの選択を行うと、その内容に応じた信号がリモートコントローラ１３０から送出される。リモートコントローラ１３０からの信号をリモートコントローラ信号受光部１２０で受信すると、受信した信号はリモートコントローラＩ／Ｆ１１９を通じて制御部１１０に送られて、操作内容に応じた処理が制御部１１０で実行される。なお、リモートコントローラ１３０は、特に図示しないが、テレビ受像機１００の電源のオン・オフを行う電源ボタン、チャンネルを選択するための数字ボタン、表示部１０８に表示する放送を切り替えるためのボタン、番組表を表示部１０８に表示するための「番組表」ボタン、テレビ受像機１００に搭載された各種機能を実行するための「ツール」ボタン、テレビ受像機１００に対する各種設定を行うための設定画面を表示部１０８に表示するための「メニュー」ボタン等が配されている。
【００４７】
ネットワークＩ／Ｆ１２１は、テレビ受像機１００とネットワークで接続される他の機器、例えばパーソナルコンピュータ１４やスケジュール配信サーバ１５との間で無線または有線によって情報の授受を行うものである。本実施形態においては、パーソナルコンピュータ１４から個人予定情報を、スケジュール配信サーバ１５からイベント情報を、それぞれ受信して、受信した情報を制御部１１０に供給する。また、制御部１１０で生成された情報を、ネットワークＩ／Ｆ１２１を通じてパーソナルコンピュータ１４に送信してもよい。
【００４８】
外部Ｉ／Ｆ１２２は、テレビ受像機１００と他の機器（例えばハードディスクレコーダ、光ディスクレコーダ等）との間で情報の授受を行うものである。例えば、外部Ｉ／Ｆ１２２はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）によってテレビ受像機１００と接続されている光ディスクレコーダとの間で情報を授受するためのインタフェースである。
【００４９】
以上、図２を用いて本発明の一実施形態にかかるテレビ受像機１００のハードウェア構成について説明した。なお、上述したテレビ受像機１００では、アンテナ１２またはパラボラアンテナ１３で受信した放送波から電子番組表情報を抽出していたが、本発明は係る例に限定されない。例えば、ネットワーク経由で放送波を受信するような場合では、ネットワークＩ／Ｆ１２１で受信した放送波から電子番組表を抽出してもよい。また、放送波はアンテナ１２またはパラボラアンテナ１３から受信するが、電子番組表は別途ネットワークＩ／Ｆ１２１で受信してもよい。
【００５０】
次に、本発明の一実施形態にかかる制御部１１０の構成について説明する。図３は、本発明の一実施形態にかかる制御部１１０の構成について説明する説明図である。以下、図３を用いて本発明の一実施形態にかかる制御部１１０の構成について説明する。
【００５１】
図３に示したように、本発明の一実施形態にかかる制御部１１０は、情報表示制御部１４１と、視聴推薦部１４２と、録画予約部１４３と、個人予定情報反映部１４４と、情報抽出部１４５と、を含んで構成される。
【００５２】
情報表示制御部１４１は、デマルチプレクサ１０３で分離された電子番組表情報や、ネットワークＩ／Ｆ１２１から供給された予定情報に基づいて、時間軸を一致させて同一の画面で表示させるように制御するものである。情報表示制御部１４１によって表示部１０８に表示される画面の例については後に詳述する。
【００５３】
視聴推薦部１４２は、デマルチプレクサ１０３で分離された電子番組表情報や、ネットワークＩ／Ｆ１２１から供給された予定情報に基づいて、ユーザに視聴を推薦する番組を電子番組表情報から抽出するものである。録画予約部１４３は、ユーザの指示に基づいて番組の録画を予約するものである。録画予約部１４３で録画予約された番組は、番組開始時刻になると自動的にＨＤＤ１１６や外部Ｉ／Ｆ１２２を介して接続される外部のハードディスクレコーダ等に録画される。また、録画予約部１４３は、デマルチプレクサ１０３で分離された電子番組表情報や、ネットワークＩ／Ｆ１２１から供給された予定情報に基づいて、ユーザに予定がありリアルタイムで視聴できない時間帯の番組の録画を自動的に予約するものである。また、録画予約部１４３は、デマルチプレクサ１０３で分離された電子番組表情報や、ネットワークＩ／Ｆ１２１から供給された予定情報に基づいて、録画を予約する番組を電子番組表情報から自動的に抽出してもよい。なお、視聴推薦部１４２で視聴を推薦したり、録画予約部１４３で録画を予約したりする番組の情報は、後述する情報抽出部１４５によって抽出してもよい。
【００５４】
個人予定情報反映部１４４は、録画予約部１４３で自動的に、またはユーザの指示で録画を予約した番組の情報（番組のタイトル、放送日時、放送チャンネル等の情報を含んだ情報）を、パーソナルコンピュータ１４等で管理されている個人予定情報に反映させるものである。個人予定情報反映部で録画予約した番組の情報を個人予定情報に反映させることで、ユーザは録画予約された番組の情報をパーソナルコンピュータ１４等で参照することができる。
【００５５】
情報抽出部１４５は、所定のキーワードを含む番組の情報を電子番組表情報から抽出するものである。情報抽出部１４５で抽出するキーワードは、ユーザが指定してもよく、イベント情報または個人予定情報に含まれているキーワードであってもよい。例えば、スケジュール配信サーバ１５から取得したイベント情報に「松本たかこ」という固有名詞が含まれていれば、情報抽出部１４５は、当該「松本たかこ」というキーワードが含まれている番組の情報を電子番組表情報から抽出する。抽出した番組は、視聴推薦部１４２における視聴推薦番組の指定や、録画予約部１４３における録画予約番組の指定に用いてもよい。
【００５６】
以上、図３を用いて本発明の一実施形態にかかる制御部１１０の構成について説明した。次に、本発明の一実施形態にかかるテレビ受像機１００の動作について説明する。
【００５７】
図４および図５は、本発明の一実施形態にかかるテレビ受像機１００の動作について説明する流れ図である。以下、図４および図５を用いて、本発明の一実施形態にかかるテレビ受像機１００の動作について説明する。
【００５８】
図４は、テレビ受像機１００の内部で電子番組表を表示する際の動作について説明する流れ図である。以下、テレビ受像機１００の内部で電子番組表を表示する際の動作について説明する。
【００５９】
まず、図４で示した動作に至るまで、テレビ受像機１００はスタンバイ状態である（ステップＳ１０２）ことを前提にして説明する。ここで、スタンバイ状態とは、テレビ受像機１００の動作に必要最低限な部分に通電されている状態を指す。テレビ受像機１００がスタンバイ状態であるときに、テレビ受像機１００がスタンバイ状態になってから（または前回のサブ処理実行から）１時間経過したかどうかを、制御部１１０において周期的に判断する（ステップＳ１０４）。サブ処理の詳細については後述する。
【００６０】
ステップＳ１０４における判定の結果、テレビ受像機１００がスタンバイ状態になってから１時間経過している場合には、後述するサブ処理を実行するように制御部１１０でテレビ受像機１００の各部を制御する（ステップＳ１０６）。サブ処理は、電子番組表情報や予定情報を取得し、テレビ受像機１００の内部に保存する処理である。一方、ステップＳ１０４における判定の結果、スタンバイ状態になってから１時間を経過していない場合には、次にテレビ受像機１００の電源がオンになったかどうかを、制御部１１０において判定する（ステップＳ１０８）。
【００６１】
ステップＳ１０８における判定の結果、テレビ受像機１００の電源がオンになっていなければ、上記ステップＳ１０２に戻り、テレビ受像機１００のスタンバイ状態を継続させる。一方、ステップＳ１０８における判定の結果、テレビ受像機１００の電源がオンになっていれば、例えばリモートコントローラ１３０の番組表ボタンが押されて、番組表を表示部１０８に表示するようにテレビ受像機１００に対して指示がなされたかどうかを、制御部１１０において判定する（ステップＳ１１０）。
【００６２】
ステップＳ１１０における判定の結果、番組表を表示部１０８に表示するようにテレビ受像機１００に対して指示がなされていなければ、ステップＳ１１０の判定処理を繰り返す。一方、番組表を表示部１０８に表示するようにテレビ受像機１００に対して指示がなされていれば、後述するサブ処理を実行するように制御部１１０でテレビ受像機１００の各部を制御する（ステップＳ１１２）。
【００６３】
ステップＳ１１２でサブ処理が実行されると、続いてテレビ受像機１００の内部（例えば、ＲＡＭ１１２、ＥＥＰＲＯＭ１１３、ＨＤＤ１１６など）に格納した予定情報および電子番組表情報を読み出す（ステップＳ１１４）。そして、読み出した予定情報および電子番組表情報を用いて、ユーザが前回選択していた表示形式によって電子番組表を表示部１０８に表示するように、制御部１１０の情報表示制御部１４１で制御する。
【００６４】
続いて、図５を用いて、上述したステップＳ１０６およびステップＳ１１２で実行するサブ処理の詳細について説明する。
【００６５】
サブ処理が開始されると、まず、予めアドレスが登録されているサービス事業者のサーバや、家庭内のＬＡＮ（Ｌｏｃａｌ  Ａｒｅａ  Ｎｅｔｗｏｒｋ）に接続されている機器（例えば、パーソナルコンピュータ１４）から、ネットワークを介して予定情報を取得する（ステップＳ１２２）。
【００６６】
テレビ受像機１００は、ステップＳ１２２で予定情報を取得すると、取得した予定情報の内容と、前回のサブ処理で取得してテレビ受像機１００の内部に保存した予定情報の内容とを比較する処理を、制御部１１０で実行する（ステップＳ１２４）。そして、ステップＳ１２２で取得した予定情報の内容と、前回のサブ処理で取得してテレビ受像機１００の内部に保存した予定情報の内容とを比較して、予定情報が更新されているか否かを判定する処理を、制御部１１０で実行する（ステップＳ１２６）。
【００６７】
ステップＳ１２６における判定処理の結果、予定情報が更新されていると制御部１１０が判定した場合には、上記ステップＳ１２２で取得した予定情報を、テレビ受像機１００の内部（例えば、ＲＡＭ１１２、ＥＥＰＲＯＭ１１３、ＨＤＤ１１６など）に保存する（ステップＳ１２８）。ステップＳ１２８で予定情報をテレビ受像機１００の内部に保存すると、電子番組表情報に対する処理に進む。一方、予定情報が更新されていないと判定した場合には、ステップＳ１２８をスキップして電子番組表情報に対する処理に進む。
【００６８】
取得した予定情報に対する処理が完了すると、続いて、電子番組表情報を放送またはネットワーク経由で取得する（ステップＳ１３０）。本実施形態では、電子番組表情報はアンテナ１２やパラボラアンテナ１３で受信した放送波から取得する。ステップＳ１３０で電子番組表情報を取得すると、取得した電子番組表情報の内容と、前回のサブ処理で取得してテレビ受像機１００の内部に保存した電子番組表情報の内容とを制御部１１０で比較する（ステップＳ１３２）。
【００６９】
そして、ステップＳ１３０で取得した電子番組表情報の内容と、前回のサブ処理で取得してテレビ受像機１００の内部に保存した電子番組表情報の内容とを比較して、電子番組表情報が更新されているか否かを判定する処理を、制御部１１０で実行する（ステップＳ１３４）。
【００７０】
ステップＳ１３４における判定処理の結果、電子番組表情報が更新されていると判定した場合には、ステップＳ１３０で取得した電子番組表情報を、テレビ受像機１００の内部（例えば、ＲＡＭ１１２、ＥＥＰＲＯＭ１１３、ＨＤＤ１１６など）に保存する（ステップＳ１３６）。ステップＳ１３６で電子番組表情報をテレビ受像機１００の内部に保存すると、サブ処理を終了する。一方、電子番組表情報が更新されていないと判定した場合には、ステップＳ１３６をスキップして、サブ処理を終了する。
【００７１】
以上、図４および図５を用いて、本発明の一実施形態にかかるテレビ受像機１００の動作について説明した。なお、図５では、予定情報、電子番組表情報の順に情報を取得していたが、本発明においては係る例に限られないことはいうまでもない。つまり、電子番組表情報、予定情報の順に情報を取得してもよく、予定情報の取得処理と電子番組表情報の取得処理とを並行して実行してもよい。
【００７２】
次に、本発明の一実施形態にかかるテレビ受像機１００における画面遷移パターンの一例について説明する。
【００７３】
図６は、本発明の一実施形態にかかるテレビ受像機１００における画面遷移パターンの一例を示す説明図である。以下、図６を用いて本発明の一実施形態にかかるテレビ受像機１００における画面遷移パターンの一例について説明する。なお、図６の各画面間の矢印に付した文字は、画面遷移の際に押下するリモートコントローラ１３０等のボタンを意味する。以下は、特に断りの無い限り、リモートコントローラ１３０のボタンを押下することで、テレビ受像機１００に表示させる画面を遷移させるものとして説明する。
【００７４】
テレビ受像機１００でテレビ番組やビデオ・ＤＶＤ等を視聴しているときにはテレビ／ビデオ視聴画面１５１が表示部１０８に表示される。このテレビ／ビデオ視聴画面１５１には、録画処理が実行中である場合にはその旨を表示してもよく、また後述するように、所定のタイミングでリマインダを表示してもよい。表示部１０８に表示されるリマインダは、本発明の通知情報の一例であり、表示部１０８にリマインダを表示する際には、パーソナルコンピュータ１４やスケジュール配信サーバ１５から取得した予定情報に基づいて表示してもよい。
【００７５】
テレビ／ビデオ視聴画面１５１が表示部１０８に表示されている際に、リモートコントローラ１３０の「番組表」ボタンを押下すると、電子番組表を表示する電子番組表画面１５２に遷移し、表示部１０８に電子番組表が表示される。ここで、本実施形態においては、電子番組表画面１５２はさらに通常番組表画面１５２ａ、週間番組表画面１５２ｂ、サービス表示番組表画面１５２ｃ、キーワード番組表画面１５２ｄの４つの画面に分類することができる。なお、本実施形態においては、通常番組表画面１５２ａ、週間番組表画面１５２ｂ、サービス表示番組表画面１５２ｃ、キーワード番組表画面１５２ｄの４つの画面を総称する場合には単に電子番組表画面１５２と称する。各番組表画面の詳細については後述する。
【００７６】
この４つの電子番組表画面は、それぞれの画面間で図６に示したように遷移する。例えば、通常番組表画面１５２ａと週間番組表画面１５２ｂとの間は、リモートコントローラ１３０の「ツール」ボタンまたは「番組表」ボタンを押下することで遷移する。ここで、「ツール」ボタンは各画面で異なる機能が割り当てられるボタンである。「ツール」ボタンで割り当てられている機能の一例を図７に、各機能の説明を図８に、それぞれ示す。
【００７７】
また、テレビ／ビデオ視聴画面１５１が表示部１０８に表示されている際に、リモートコントローラ１３０の「メニュー」ボタンを押下すると、テレビ受像機１００に対する各種設定を行う設定画面１５３に遷移する。設定画面１５３では、パーソナルコンピュータ１４やスケジュール配信サーバ１５から予定情報を取得するために、例えばパーソナルコンピュータ１４のＩＰアドレスの情報やスケジュール配信サーバ１５のＵＲＩの情報等を設定できるようにしてもよい。設定画面１５３からテレビ／ビデオ視聴画面１５１に戻るには、リモートコントローラ１３０の「戻る」ボタンや「選局」ボタン等を押下する。
【００７８】
電子番組表画面１５２が表示部１０８に表示されている場合に、ユーザがリモートコントローラを操作して番組や予定情報を選択し、リモートコントローラ１３０の「決定」ボタンを押下すると、当該番組や予定情報の詳細な情報を表示する詳細情報表示画面１５４に遷移する。詳細情報表示画面１５４で番組の詳細な情報を表示させている場合に、リモートコントローラ１３０の「選局」ボタンを押下すると、テレビ／ビデオ視聴画面１５１に遷移して、当該番組を表示部１０８に表示させる。さらに、詳細情報表示画面１５４からは、当該番組の録画を予約する録画設定画面や、予定情報をリマインダとして登録するリマインダ設定画面に遷移してもよい。
【００７９】
以上、図６を用いて本発明の一実施形態にかかるテレビ受像機１００における画面遷移パターンの一例について説明した。次に、本発明の一実施形態にかかる電子番組表画面１５２の一例について説明する。
【００８０】
図９は、本発明の一実施形態にかかる通常番組表画面１５２ａの一例について示す説明図である。以下、図９を用いて本発明の一実施形態にかかる通常番組表画面１５２ａの一例について説明する。
【００８１】
図９に示したように、図９を用いて本発明の一実施形態にかかる通常番組表画面１５２ａは、電子番組表と、個人予定やイベント予定（以下、ネットワーク１６を経由して取得した個人予定とイベント予定とを総称して「オンライン予定」とも称する）とを組み合わせて、時間軸を一致させて表示させたものである。
【００８２】
図９に示した通常番組表画面１５２ａでは、オンライン予定は、終日の予定（時間が指定されていない予定）と時間が指定されている予定とに分けて表示している。情報表示制御部１４１は、デマルチプレクサ１０３で分離して取得した電子番組表情報から、電子番組表を別途取得したオンライン予定と時間軸を一致させて生成する。オンライン予定と組み合わされた形式で情報表示制御部１４１が生成した電子番組表は、通常番組表画面１５２ａとして表示部１０８に表示される。
【００８３】
このように、受信した放送波から取得した電子番組表と、ネットワーク１６を経由して放送波とは別途取得したオンライン予定とを、通常番組表画面１５２ａとして時間軸を一致させて同一の画面に表示させることによって、ユーザは予定が入っている時間帯の番組の情報を容易に知ることができる。
【００８４】
図１０は、本発明の一実施形態にかかる週間番組表画面１５２ｂの一例について示す説明図である。以下、図１０を用いて本発明の一実施形態にかかる週間番組表画面１５２ｂの一例について説明する。
【００８５】
図１０に示した週間番組表画面１５２ｂでは、オンライン予定は、終日の予定（時間が指定されていない予定）と時間が指定されている予定とに分けて表示している。情報表示制御部１４１は、オンライン予定と時間軸を一致させて、デマルチプレクサ１０３で分離して取得した電子番組表情報から電子番組表を生成する。オンライン予定と組み合わされた形式で情報表示制御部１４１が生成した電子番組表は、週間番組表画面１５２ｂとして表示部１０８に表示される。
【００８６】
週間番組表画面１５２ｂでは、通常番組表画面１５２ａとは異なり、１つのチャンネルについてのみの１週間分の番組表を表示している。そして、時間が指定されているオンライン予定がある場合には、図１０に示したように、番組表に重畳するように当該オンライン予定を表示してもよい。なお、時間が指定されているオンライン予定の表示方法は、かかる例に限定されないことは言うまでもなく、例えば番組の情報とオンライン予定とを並べて表示してもよい。
【００８７】
このように、１週間分の電子番組表と、ネットワーク１６を経由して取得した１週間分のオンライン予定とを、時間軸を一致させて同一の画面に表示させることによって、ユーザは向こう１週間の予定及び予定が入っている日付・時間帯の番組の情報を容易に知ることができる。そして、ユーザは週間番組表画面１５２ｂを閲覧することによって、向こう１週間の番組の録画予約や視聴予約の参考にすることができる。
【００８８】
図１１は、本発明の一実施形態にかかるサービス表示番組表画面１５２ｃの一例について示す説明図である。以下、図１１を用いて本発明の一実施形態にかかるサービス表示番組表画面１５２ｃの一例について説明する。
【００８９】
サービス表示番組表画面１５２ｃは、１日分のオンライン予定表と電子番組表とを、時間軸を一致させて表示しているものである。サービス表示番組表画面１５２ｃが、上述の通常番組表画面１５２ａと異なっているのは、電子番組表部分においては１つのチャンネルで放送される番組の情報のみを表示させている点である。
【００９０】
図１２は、本発明の一実施形態にかかるキーワード番組表画面１５２ｄの一例について示す説明図である。以下、図１２を用いて本発明の一実施形態にかかるキーワード番組表画面１５２ｄの一例について説明する。
【００９１】
キーワード番組表画面１５２ｄは、通常番組表画面１５２ａや週間番組表画面１５２ｂにおいてキーワードを指定して、指定されたキーワードに合致する番組やオンライン予定を表示している。図１２に示した本発明の一実施形態にかかるキーワード番組表画面１５２ｄでは、図１０に示した週間番組表画面１５２ｂにおいてリモートコントローラ１３０等を操作することによって、「松本たかこ」というキーワードを選択した結果を表示している。
【００９２】
以上、本発明の一実施形態にかかる電子番組表画面１５２について幾通りか例示して説明した。このように、指定したキーワードに合致するオンライン予定や番組の情報のみを抽出して表示することで、ユーザは、指定したキーワードに合致する将来の予定及び予定が入っている日付・時間帯の番組の情報を容易に知ることができる。そして、ユーザは電子番組表画面１５２を閲覧することによって、将来の番組の録画予約や視聴予約の参考にすることができる。
【００９３】
続いて、本発明の一実施形態にかかるテレビ受像機１００で表示部１０８に表示される電子番組表画面１５２以外の画面について説明する。
【００９４】
図１３は、本発明の一実施形態にかかる詳細情報表示画面１５４の一例について説明する説明図である。以下、図１３を用いて本発明の一実施形態にかかる詳細情報表示画面１５４の一例について説明する。
【００９５】
図１３に示した詳細情報表示画面１５４は、リモートコントローラ１３０等を操作して電子番組表画面１５２で表示されている番組やオンライン予定をユーザが選択した状態で、例えばリモートコントローラ１３０の「決定」ボタンを押下することで表示される画面である。
【００９６】
詳細情報表示画面１５４には、詳細情報表示領域１５４ａ、リマインダ設定ボタン１５４ｂ、録画予約ボタン１５４ｃ、視聴予約ボタン１５４ｄ、選局ボタン１５４ｅ、及び戻るボタン１５４ｆが配置されている。詳細情報表示領域１５４ａは、電子番組表画面１５２で選択した番組やオンライン予定の詳細な情報が表示される領域である。リマインダ設定ボタン１５４ｂは、電子番組表画面１５２で選択した情報が未来のオンライン予定である場合に表示されるボタンであり、例えばリモートコントローラ１３０の「決定」ボタンを押下すると、そのオンライン予定をリマインダとして登録することができる。
【００９７】
録画予約ボタン１５４ｃは、電子番組表画面１５２で選択した情報が未来の番組である場合に表示されるボタンであり、例えばリモートコントローラ１３０の「決定」ボタンを押下すると、その番組の録画予約を登録することができる。視聴予約ボタン１５４ｄは、電子番組表画面１５２で選択した情報が未来の番組である場合に表示されるボタンであり、例えばリモートコントローラ１３０の「決定」ボタンを押下すると、その番組の視聴予約を登録することができる。選局ボタン１５４ｅは、電子番組表画面１５２で選択した情報が現在放送されている番組である場合に表示されるボタンであり、例えばリモートコントローラ１３０の「決定」ボタンを押下すると、テレビ／ビデオ視聴画面１５１に遷移して、選択した番組を視聴することができる。
【００９８】
視聴予約を登録した番組の一覧は、後述する視聴予約番組一覧画面１５６で参照することができる。また、録画予約を登録した番組の一覧は、後述する録画予約番組一覧画面１５８で参照することができる。
【００９９】
図１４は、本発明の一実施形態にかかるテレビ／ビデオ視聴画面１５１にリマインダを表示する場合について説明する説明図である。以下、図１４を用いて本発明の一実施形態にかかるテレビ／ビデオ視聴画面１５１にリマインダを表示する場合について説明する。
【０１００】
図１４は、リマインダを表示するために、情報表示制御部１４１によってテレビ／ビデオ視聴画面１５１にリマインダ表示領域１５５へリマインダ表示させた場合を示したものである。リマインダ表示領域１５５は、所定の、または任意のタイミングでテレビ／ビデオ視聴画面１５１に表示させることができる。
【０１０１】
所定のタイミングとしては、例えばテレビ受像機１００の電源がオンになったときであってもよく、テレビ受像機１００の電源がオンになってから一定時間が経過したときであってもよい。また、任意のタイミングの一例として、ユーザがキー入力部１１８やリモートコントローラ１３０を操作して、例えば個人予定や視聴予約した番組が始まるＸ時間前に、リマインダ表示領域１５５を表示させ、リマインダ表示領域１５５にリマインダを表示させるよう設定してもよい。ユーザによって設定されたリマインダ表示領域１５５の表示タイミングの情報を例えばＥＥＰＲＯＭ１１３に格納するように、制御部１１０から制御してもよい。
【０１０２】
リマインダ表示領域１５５へ表示させるリマインダの内容は、ユーザが任意に設定してもよい。例えば、個人予定はリマインダ表示領域１５５へリマインダとして表示させるが、視聴予約した番組はリマインダとして表示させないように設定してもよい。また、オンライン予定や番組の情報に対して、個別にリマインダとして表示するか否かを設定できるようにしてもよい。そのように設定した情報を例えばＥＥＰＲＯＭ１１３に格納するように、制御部１１０から制御してもよい。
【０１０３】
また、リマインダ表示領域１５５へ表示させるリマインダは、所定のキーワードに一致するものを電子番組表情報や予定情報から抽出して表示させるように制御してもよい。例えば、ユーザが予め指定したキーワードに合致する電子番組表情報や予定情報を、情報抽出部１４５によって抽出して、抽出した情報をリマインダとしてリマインダ表示領域１５５へ表示させてもよい。
【０１０４】
図１５は、本発明の一実施形態にかかる視聴予約番組一覧画面１５６に視聴予約した番組の一覧を表示する場合について説明する説明図である。以下、図１５を用いて本発明の一実施形態にかかる視聴予約番組一覧画面１５６に視聴予約した番組の一覧を表示する場合について説明する。
【０１０５】
図１５に示したように、本発明の一実施形態にかかる視聴予約番組一覧画面１５６は、視聴予約した番組が放送される日付、チャンネル、開始時刻、終了時刻、番組名の情報が表示される。そして、テレビ受像機１００のユーザの指示によって視聴予約された番組と区別するために、オンライン予定に基づいて自動的に視聴推薦部１４２において視聴予約された番組には、自動的に視聴予約されたことを示す自動視聴予約マーク１５７を表示させてもよい。
【０１０６】
このように自動視聴予約マーク１５７を表示させることで、テレビ受像機１００のユーザは、自らの意思によって視聴予約した番組なのか、テレビ受像機１００で自動的に視聴予約された番組なのかを容易に把握することができる。
【０１０７】
図１６は、本発明の一実施形態にかかる録画予約番組一覧画面１５８に録画予約した番組の一覧を表示する場合について説明する説明図である。以下、図１６を用いて本発明の一実施形態にかかる録画予約番組一覧画面１５８に録画予約した番組の一覧を表示する場合について説明する。
【０１０８】
図１６に示したように、本発明の一実施形態にかかる録画予約番組一覧画面１５８は、録画予約した番組が放送される日付、チャンネル、開始時刻、終了時刻、番組名の情報が表示される。そして、テレビ受像機１００のユーザの指示によって録画予約された番組と区別するために、オンライン予定に基づいて自動的に録画予約部１４３において録画予約された番組には、自動的に録画予約されたことを示す自動録画予約マーク１５９を表示させてもよい。
【０１０９】
このように自動録画予約マーク１５９を表示させることで、テレビ受像機１００のユーザは、自らの意思によって録画予約した番組なのか、テレビ受像機１００で自動的に録画予約する番組が抽出され、録画予約された番組なのかを容易に把握することができる。
【０１１０】
以上、本発明の一実施形態にかかるテレビ受像機１００で表示部１０８に表示される電子番組表画面１５２以外の画面について説明した。
【０１１１】
以上説明したように、本発明の一実施形態によれば、テレビ受像機１００でイベント情報や個人予定情報を受信して、受信した情報を、別途取得した電子番組表と、時間軸を一致させることによって紐付けて、表示部１０８に表示させる。このように電子番組表と予定情報とを紐付けて表示部１０８に表示することで、番組の放送予定と個人予定やイベント情報とを一度に閲覧することができるようになる。従って、ユーザは個人予定やイベント情報を見ながら、視聴する番組を選択したり、録画予約する番組を決定したりすることができる。
【０１１２】
なお、上述した本発明の一実施形態にかかるテレビ受像機１００を用いた情報表示方法は、テレビ受像機１００の内部（例えばＲＯＭ１１１）に格納したコンピュータプログラムを、制御部１１０が順次読み出すことによって行ってもよい。例えば、図３に示した制御部１１０の構成を実現するようなコンピュータプログラムをＲＯＭ１１１に格納してもよい。また、例えば、テレビ受像機１００は、かかるプログラムを実行することで、取得した電子番組表情報とイベント情報とを、時間軸を一致させることによって紐付けて、表示部１０８に表示させてもよい。
【０１１３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１１４】
【図１】本発明の一実施形態にかかる受信システム１０の構成について説明する説明図である。
【図２】本発明の一実施形態にかかるテレビ受像機１００のハードウェア構成について説明する説明図である。
【図３】本発明の一実施形態にかかる制御部１１０の構成について説明する説明図である。
【図４】本発明の一実施形態にかかるテレビ受像機１００の動作について説明する流れ図である。
【図５】本発明の一実施形態にかかるテレビ受像機１００の動作について説明する流れ図である。
【図６】本発明の一実施形態にかかるテレビ受像機１００における画面遷移パターンの一例を示す説明図である。
【図７】「ツール」ボタンで割り当てられている機能の一例を示す説明図である。
【図８】図７に示した機能について説明する説明図である。
【図９】本発明の一実施形態にかかる通常番組表画面１５２ａの一例について示す説明図である。
【図１０】本発明の一実施形態にかかる週間番組表画面１５２ｂの一例について示す説明図である。
【図１１】本発明の一実施形態にかかるサービス表示番組表画面１５２ｃの一例について示す説明図である。
【図１２】本発明の一実施形態にかかるキーワード番組表画面１５２ｄの一例について示す説明図である。
【図１３】本発明の一実施形態にかかる詳細情報表示画面１５４の一例について説明する説明図である。
【図１４】本発明の一実施形態にかかるテレビ／ビデオ視聴画面１５１にリマインダを表示する場合について説明する説明図である。
【図１５】本発明の一実施形態にかかる視聴予約番組一覧画面１５６に視聴予約した番組の一覧を表示する場合について説明する説明図である。
【図１６】本発明の一実施形態にかかる録画予約番組一覧画面１５８に録画予約した番組の一覧を表示する場合について説明する説明図である。
【符号の説明】
【０１１５】
１０    受信システム
１１    放送局
１２    アンテナ
１３    パラボラアンテナ
１４    パーソナルコンピュータ
１５    スケジュール配信サーバ
１６    ネットワーク
１７    ルータ
１００    テレビ受像機
１３０    リモートコントローラ
１４１    情報表示制御部
１４２    視聴推薦部
１４３    録画予約部
１４４    個人予定情報反映部
１５１    テレビ／ビデオ視聴画面
１５２    電子番組表画面
１５２ａ  通常番組表画面
１５２ｂ  週間番組表画面
１５２ｃ  サービス表示番組表画面
１５２ｄ  キーワード番組表画面
１５３    設定画面
１５４    詳細情報表示画面
１５４ａ  詳細情報表示領域
１５４ｂ  リマインダ設定ボタン
１５４ｃ  録画予約ボタン
１５４ｄ  視聴予約ボタン
１５４ｅ  選局ボタン
１５４ｆ  戻るボタン
１５５    リマインダ表示領域
１５６    視聴予約番組一覧画面
１５７    自動視聴予約マーク
１５８    録画予約番組一覧画面
１５９    自動録画予約マーク
【図１】
2009239735.tif 000003
【図２】
2009239735.tif 000004
【図３】
2009239735.tif 000005
【図４】
2009239735.tif 000006
【図５】
2009239735.tif 000007
【図６】
2009239735.tif 000008
【図７】
2009239735.tif 000009
【図８】
2009239735.tif 000010
【図９】
2009239735.tif 000011
【図１０】
2009239735.tif 000012
【図１１】
2009239735.tif 000013
【図１２】
2009239735.tif 000014
【図１３】
2009239735.tif 000015
【図１４】
2009239735.tif 000016
【図１５】
2009239735.tif 000017
【図１６】
2009239735.tif 000018